(57)【要約】  潜在的なＩ／Ｑインバランスを緩和するために通信チャネルのＩブランチおよびＱブランチ上で信号を送信および受信することを可能にするシステムおよび方法について説明する。特に、デバイスは、所与のチャネルの送信電力を実質的に均等に分散させるためにＩブランチおよびＱブランチ上で信号を送信することができる。本デバイスは、実数モディファイアおよび複素モディファイアを有するコードまたは行列を用いてデータを復調し、それにより送信のためのＩブランチ信号およびＱブランチ信号を生じることができる。チャネルが複数のリソースを有する場合、本デバイスは、電力を分散させるために所与の信号について、あるリソースではＩブランチ上で、別のリソースではＱブランチ上で交番または送信することができる。また、本デバイスは、ＩブランチとＱブランチの両方の上で信号を分散させるために複素スクランブリングコードを適用することができる。本デバイスはまた、同じユーザに送られる信号を送信するためにＱＰＳＫまたは高次変調を使用することができる。
2011514737.tif 000002
【特許請求の範囲】
【請求項１】
同相／直交位相（Ｉ／Ｑ）多重化のためにデータを変調するための方法であって、
ワイヤレス通信チャネルに関係する構成情報を受信することと、
前記構成情報に従ってデータを１つまたは複数の信号に変調することと、
前記通信チャネルのＩブランチおよびＱブランチ上で前記信号を送信することと
を備える方法。
【請求項２】
前記データを変調することが、前記Ｉブランチ上で送信するための前記データの一部分と、前記Ｑブランチ上で送信するための前記データの残りの部分とをマッピングすることを含む、請求項１に記載の方法。
【請求項３】
前記Ｉブランチ上で送信するための前記データの前記部分が、実質的に前記データの半分である、請求項２に記載の方法。
【請求項４】
前記構成情報が、前記データを変調するための１つまたは複数の直交または擬似直交コードを備える、請求項２に記載の方法。
【請求項５】
前記直交または擬似直交コードが実数部分および複素部分を含む、請求項４に記載の方法。
【請求項６】
前記Ｉブランチ上で送信するためのマッピングされたデータの前記部分が、デバイスに対する複数のトランスポートブロックとの多入力多出力（ＭＩＭＯ）通信をサポートする第１の制御チャネルに対応し、前記Ｑブランチ上で送信するためのマッピングされたデータが、前記第１の制御チャネルに関係する異種制御チャネルに対応する、請求項２に記載の方法。
【請求項７】
前記信号が、前記通信チャネルに関係する複数の部分時間および周波数リソースにわたって繰り返し送信される、請求項１に記載の方法。
【請求項８】
前記信号を送信することが、所与の部分時間および周波数リソースに対して前記Ｉブランチおよび前記Ｑブランチ上での送信を交番させることを含む、請求項７に記載の方法。
【請求項９】
前記構成情報が、前記信号を符号化するための複素スクランブリングコードに関係する、請求項１に記載の方法。
【請求項１０】
前記通信チャネルの前記Ｉブランチおよび前記Ｑブランチ上で前記信号を送信することを可能にするために、前記複素スクランブリングコードを使用して前記信号をスクランブルすることをさらに備える、請求項９に記載の方法。
【請求項１１】
受信データに少なくとも部分的に基づいて送信するための信号を生成することと、
通信チャネルのＩブランチおよびＱブランチ上で前記信号を分散させることと、
前記Ｉブランチおよび前記Ｑブランチを使用して前記通信チャネル上で前記信号を送信することと
を行うように構成された少なくとも１つのプロセッサと、
前記少なくとも１つのプロセッサに結合されたメモリと
を備えるワイヤレス通信装置。
【請求項１２】
ワイヤレス通信信号を送信する際にＩ／Ｑインバランスを緩和することを可能にするワイヤレス通信装置であって、
送信すべきデータに少なくとも部分的に基づいて信号を生成するための手段と、
通信チャネルのＩブランチおよびＱブランチ上で前記信号を分散させるための手段と、
前記通信チャネルの前記Ｉブランチおよび前記Ｑブランチの前記信号を送信するための手段と
を備えるワイヤレス通信装置。
【請求項１３】
通信チャネルに関係する構成情報を判断することを少なくとも１つのコンピュータに行わせるためのコードと、
前記通信チャネルのＩブランチおよびＱブランチ上で分割された１つまたは複数の信号にデータを変調することを前記少なくとも１つのコンピュータに行わせるためのコードと、
前記通信チャネルの前記Ｉブランチおよび前記Ｑブランチ上で前記信号を送信することを前記少なくとも１つのコンピュータに行わせるためのコードと
を備えるコンピュータ可読媒体
を備えるコンピュータプログラム製品。
【請求項１４】
１つまたは複数の通信チャネルに関係する構成情報を受信するチャネルリソース決定器と、
前記構成情報に少なくとも部分的に基づいて、前記チャネルのＩブランチ上で送信するための信号と前記チャネルのＱブランチ上で送信するための信号とを生成するデータ変調器と、
前記Ｉブランチおよび前記Ｑブランチ上で前記信号を送信する送信機と
を備える装置。
【請求項１５】
前記構成情報が複数のコードを備え、前記データ変調器が、前記Ｉブランチ上で送信するための前記信号と前記Ｑブランチ上で送信するための前記信号とを生成するために前記コードをデータに適用する、請求項１４に記載の装置。
【請求項１６】
前記コードが、前記信号の同時送信を可能にする１つまたは複数の直交または擬似直交コードである、請求項１５に記載の装置。
【請求項１７】
前記Ｉブランチ上で送信するための前記信号が前記データの一部分に関係し、前記Ｑブランチ上で送信するための前記信号が前記データの残りの部分に関係する、請求項１５に記載の装置。
【請求項１８】
前記Ｉブランチ上で送信するための前記信号が前記データの実質的にすべてを備え、前記Ｑブランチ上で送信される前記信号が前記データの実質的にすべてを備える、請求項１５に記載の装置。
【請求項１９】
前記送信機が、前記Ｉブランチ上で送信するための前記信号を前記通信チャネルに関係する部分時間および周波数リソースにおいて送信し、前記Ｑブランチ上で送信するための前記信号を前記通信チャネルに関係する異種部分時間および周波数リソースにおいて送信する、請求項１８に記載の装置。
【請求項２０】
前記構成情報が、前記Ｉブランチ上で送信するための前記信号を符号化するための複素スクランブリングコードに関係する、請求項１４に記載の装置。
【請求項２１】
前記Ｉブランチ上で送信するための前記信号に前記複素スクランブリングコードを適用し、それにより前記Ｑブランチ上で送信するための異種信号を生じる信号スクランブラをさらに備える、請求項２０に記載の装置。
【請求項２２】
ＩブランチおよびＱブランチ上で多重化された信号に基づいて通信チャネルを評価することを可能にする方法であって、
通信チャネルに関係する複数のワイヤレスデバイスから多重化信号を受信することと、
前記多重化信号をＩブランチにおいて受信された部分とＱブランチにおいて受信された部分とに分離することと、
前記通信チャネル上で前記複数のワイヤレスデバイスのうちの１つによって送信されるデータを生成するために、前記Ｉブランチにおいて受信された前記部分の一部と前記Ｑブランチにおいて受信された前記部分の一部とを復調することと
を備える方法。
【請求項２３】
複素スクランブリングコードを使用して前記Ｉブランチにおいて受信された前記部分の前記一部と前記Ｑブランチにおいて受信された前記部分の前記一部とを逆スクランブルすることをさらに備える、請求項２２に記載の方法。
【請求項２４】
前記復調することが、実数特性および複素特性を有する直交または擬似直交コードを使用して実行される、請求項２２に記載の方法。
【請求項２５】
前記複数のワイヤレスデバイスのうちの少なくとも１つにチャネルリソースを割り当てることをさらに備え、前記チャネルリソースが、チャネルデータの一部分をＩブランチ上で送信し、残りの部分をＱブランチ上で送信することに関係するチャネル構成情報を含む、請求項２２に記載の方法。
【請求項２６】
前記チャネル構成情報が、実数パラメータおよび複素パラメータを有する１つまたは複数の直交または擬似直交コードに関係する、請求項２５に記載の方法。
【請求項２７】
前記チャネル構成情報が、前記チャネル上で送信されるデータを符号化するための複素スクランブリングコードに関係する、請求項２５に記載の方法。
【請求項２８】
前記Ｉブランチにおいて受信された前記部分が、多入力多出力通信をサポートする第１の制御チャネルに対応し、前記Ｑブランチにおいて受信された前記部分が、前記第１の制御チャネルに関係する異種制御チャネルに対応する、請求項２５に記載の方法。
【請求項２９】
通信チャネル上で複数のワイヤレスデバイスから多重化信号を受信することと、
前記通信チャネルのＩブランチおよびＱブランチ上で送信される前記複数のワイヤレスデバイスのうちの少なくとも１つにそれぞれ関係する複数の信号を決定するために、前記多重化信号を多重分離することと、
前記複数のワイヤレスデバイスのうちの少なくとも１つによって送信されるデータを決定するために、少なくとも前記Ｉブランチ上で送信される１つの信号と前記Ｑブランチ上で送信される１つの信号とを復調することと
を行うように構成された少なくとも１つのプロセッサと、
前記少なくとも１つのプロセッサに結合されたメモリと
を備えるワイヤレス通信装置。
【請求項３０】
Ｉ／Ｑ多重化信号を受信するためのワイヤレス通信装置であって、
ＩブランチおよびＱブランチ上で通信チャネルに関係する多重化信号を受信するための手段と、
前記ブランチ上で送信される、デバイスからの複数の信号を生成するために、前記Ｉブランチおよび前記Ｑブランチの前記多重化信号を多重分離するための手段と、
前記デバイスによって送信されたデータを受信するために、少なくとも前記Ｉブランチからの１つのデバイス信号と前記Ｑブランチからの１つのデバイス信号とを復調するための手段と
を備えるワイヤレス通信装置。
【請求項３１】
通信チャネルに関係する複数のワイヤレスデバイスから多重化信号を受信することを少なくとも１つのコンピュータに行わせるためのコードと、
前記多重化信号をＩブランチにおいて受信された部分とＱブランチにおいて受信された部分とに分離することを前記少なくとも１つのコンピュータに行わせるためのコードと、
前記通信チャネル上で前記複数のワイヤレスデバイスのうちの１つによって送信されるデータを生成するために、前記Ｉブランチにおいて受信された前記部分の一部と前記Ｑブランチにおいて受信された前記部分の一部とを復調することを前記少なくとも１つのコンピュータに行わせるためのコードと
を備えるコンピュータ可読媒体
を備えるコンピュータプログラム製品。
【請求項３２】
通信チャネルに関係する複数のワイヤレスデバイスから多重化信号を受信する受信機と、
前記通信チャネルのＩブランチとＱブランチの両方の上で送信される複数の信号を生じるために前記Ｉブランチおよび前記Ｑブランチを多重分離するデマルチプレクサと、
前記複数のワイヤレスデバイスのうちの１つによって送信されるデータを決定するために、前記Ｉブランチ上で送信される前記複数の信号のうちの少なくとも１つと前記Ｑブランチ上で送信される前記複数の信号のうちの少なくとも１つとを復調する復調器と
を備える装置。
【請求項３３】
複素スクランブリングコードを使用して、前記Ｉブランチ上で送信される前記複数の信号のうちの前記少なくとも１つと、前記Ｑブランチ上で送信される前記複数の信号のうちの前記少なくとも１つとを逆スクランブルするデスクランブラをさらに備える、請求項３２に記載の装置。
【請求項３４】
前記復調器が、１つまたは複数の直交または擬似直交コードを使用して復調する、請求項３２に記載の装置。
【請求項３５】
前記複数のワイヤレスデバイスのうちの少なくとも１つにチャネル構成情報を提供するチャネルリソース割当て器をさらに備え、前記構成情報が、前記通信チャネルの前記Ｉブランチ上でデータの一部分と前記通信チャネルの前記Ｑブランチ上で残りの部分とを送信することに関係する、請求項３２に記載の装置。
【請求項３６】
前記チャネル構成情報が、実数パラメータおよび複素パラメータを有する１つまたは複数の直交または擬似直交コードに関係する、請求項３５に記載の装置。
【請求項３７】
前記チャネル構成情報が、前記チャネル上で送信されるデータを符号化するための複素スクランブリングコードに関係する、請求項３５に記載の装置。
【発明の詳細な説明】
【技術分野】
【０００１】
関連出願の相互参照
本出願は、２００８年２月８日に出願された「METHODS OF MULTIPLEXING USERS SHARING THE SAME RESOURCE」と題する米国仮特許出願第６１／０２７，１４３号と、２００８年３月６日に出願された「METHODS OF MULTIPLEXING USERS SHARING THE SAME RESOURCE」と題する米国仮特許出願第６１／０３４，２２７号との利益を主張する。前述の出願の全体は、参照により本明細書に組み込まれる。
【０００２】
以下の説明は、一般に、ワイヤレス通信に関し、より詳細には、１つまたは複数の共有リソース上で複数のデバイス通信を多重化することに関する。
【背景技術】
【０００３】
ワイヤレス通信システムは、たとえば音声、データなど、様々なタイプの通信コンテンツを提供するために広く展開されている。代表的なワイヤレス通信システムは、使用可能なシステムリソース（たとえば、帯域幅、送信電力、．．．）を共有することによって複数のユーザとの通信をサポートすることができる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの規格、および／またはＥｖｏｌｕｔｉｏｎ  Ｄａｔａ  Ｏｐｔｉｍｉｚｅｄ（ＥＶ−ＤＯ）、その１つまたは複数のリビジョンなどのマルチキャリアワイヤレス規格に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、１入力１出力（ＳＩＳＯ）システム、多入力１出力（ＭＩＳＯ）システム、多入力多出力（ＭＩＭＯ）システムなどを介して確立できる。さらに、ピアツーピアワイヤレスネットワーク構成では、モバイルデバイスは他のモバイルデバイスと（および／または基地局は他の基地局と）通信することができる。
【０００５】
ワイヤレス通信しているデバイスは、共有リソース上で信号を送信および受信することができる。たとえば、周波数分割多重（ＦＤＭ）、時分割多重（ＴＤＭ）、符号分割多重（ＣＤＭ）、直交ＦＤＭ（ＯＦＤＭ）など、１つまたは複数の多重化技術を利用して、リソース上で信号を合成することができる。それらのデバイスは、２位相偏移キーイング（ＢＰＳＫ）を利用して１つまたは複数のリソース上での直交性ならびに同相／直交位相（Ｉ／Ｑ）多重化を達成して、リソースの容量を拡大することができる。これにより、望ましいことに、リソース上のサポートされる信号の数が増加し、その結果、リソースおよび関連するワイヤレス通信ネットワーク上での通信スループットが改善される。しかしながら、Ｉブランチ上とＱブランチ上とで送信電力に大幅な差があると、Ｉ／Ｑインバランスが起こり、受信信号を多重分離するときに望ましくない結果が生じる可能性がある。
【発明の概要】
【０００６】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００７】
１つまたは複数の実施形態およびその対応する開示に従って、送信電力をより均等に拡散するために、ＩブランチとＱブランチの両方の上で同相／直交位相（Ｉ／Ｑ）多重化を利用して、１つまたは複数の個々の信号を送信するのを可能にすることに関して、様々な態様について説明する。一例では、所与の信号の一部分をＩブランチ上で送信し、残りの部分をＱブランチ上で送信する。この点について、たとえば、所与の信号の送信電力はＩブランチ上でもＱブランチ上でも実質的に同程度である。別の例では、複数回繰り返される信号は、よりバランスのとれたＩ／Ｑ多重化を行うために、１つまたは複数の繰返しにおいてＩブランチ上での送信とＱブランチ上での送信との間で交番することができる。
【０００８】
関係する態様によれば、Ｉ／Ｑ多重化のためにデータを変調するための方法が提供される。本方法は、ワイヤレス通信チャネルに関係する構成情報を受信することを含む。本方法はまた、構成情報に従ってデータを１つまたは複数の信号に変調することと、その信号を通信チャネルのＩブランチおよびＱブランチ上で送信することとを含む。
【０００９】
別の態様は、ワイヤレス通信装置に関する。ワイヤレス通信装置は、受信データに少なくとも部分的に基づいて送信するための信号を生成することと、通信チャネルのＩブランチおよびＱブランチ上で信号を分散させることとを行うように構成された少なくとも１つのプロセッサを含む。プロセッサは、ＩブランチおよびＱブランチを使用して通信チャネル上で信号を送信するようにさらに構成される。ワイヤレス通信装置はまた、少なくとも１つのプロセッサに結合されたメモリを備える。
【００１０】
さらに別の態様は、ワイヤレス通信信号を送信する際にＩ／Ｑインバランスを緩和することを可能にするワイヤレス通信装置に関する。ワイヤレス通信装置は、送信すべきデータに少なくとも部分的に基づいて信号を生成するための手段と、通信チャネルのＩブランチおよびＱブランチ上で信号を分散させるための手段とを備える。ワイヤレス通信装置は、通信チャネルのＩブランチおよびＱブランチの信号を送信するための手段をさらに備えることができる。
【００１１】
さらに別の態様は、通信チャネルに関係する構成情報を決定することを少なくとも１つのコンピュータに行わせるためのコードを含むコンピュータ可読媒体を有するコンピュータプログラム製品に関する。コンピュータ可読媒体はまた、通信チャネルのＩブランチおよびＱブランチ上で分割された１つまたは複数の信号にデータを変調することを少なくとも１つのコンピュータに行わせるためのコードを備えることができる。さらに、コンピュータ可読媒体は、通信チャネルのＩブランチおよびＱブランチ上で信号を送信することを少なくとも１つのコンピュータに行わせるためのコードを備えることができる。
【００１２】
さらに、追加の態様は装置に関する。この装置は、１つまたは複数の通信チャネルに関係する構成情報を受信するチャネルリソース決定器を含む。この装置は、構成情報に少なくとも部分的に基づいて、チャネルのＩブランチ上で送信するための信号とチャネルのＱブランチ上で送信するための信号とを生成するデータ変調器と、ＩブランチおよびＱブランチ上で信号を送信する送信機とをさらに含む。
【００１３】
さらなる態様によれば、ＩブランチおよびＱブランチ上で多重化された信号に基づいて通信チャネルを評価することを可能にする方法が提供される。この方法は、通信チャネルに関係する複数のワイヤレスデバイスから多重化信号を受信することと、多重化信号をＩブランチにおいて受信された部分とＱブランチにおいて受信された部分とに分離することとを含む。この方法はまた、通信チャネル上で複数のワイヤレスデバイスのうちの１つによって送信されるデータを生成するために、Ｉブランチにおいて受信された部分の一部とＱブランチにおいて受信された部分の一部とを復調することを含む。
【００１４】
別の態様は、ワイヤレス通信装置に関する。ワイヤレス通信装置は、通信チャネル上で複数のワイヤレスデバイスから多重化信号を受信することと、通信チャネルのＩブランチおよびＱブランチ上で送信される複数のワイヤレスデバイスのうちの少なくとも１つにそれぞれ関係する複数の信号を決定するために、多重化信号を多重分離することとを行うように構成された少なくとも１つのプロセッサを含む。プロセッサは、複数のワイヤレスデバイスのうちの少なくとも１つによって送信されるデータを決定するために、少なくともＩブランチ上で送信される１つの信号とＱブランチ上で送信される１つの信号とを復調するようにさらに構成される。ワイヤレス通信装置はまた、少なくとも１つのプロセッサに結合されたメモリを備える。
【００１５】
さらに別の態様は、Ｉ／Ｑ多重化信号を受信するためのワイヤレス通信装置に関する。ワイヤレス通信装置は、ＩブランチおよびＱブランチ上で通信チャネルに関係する多重化信号を受信するための手段を備える。ワイヤレス通信装置は、ブランチ上で送信される、デバイスからの複数の信号を生成するために、ＩブランチおよびＱブランチの多重化信号を多重分離するための手段と、デバイスによって送信されたデータを受信するために、少なくともＩブランチからの１つのデバイス信号とＱブランチからの１つのデバイス信号とを復調するための手段とをさらに含むことができる。
【００１６】
さらに別の態様は、通信チャネルに関係する複数のワイヤレスデバイスから多重化信号を受信することを少なくとも１つのコンピュータに行わせるためのコードを含むコンピュータ可読媒体を有するコンピュータプログラム製品に関する。コンピュータ可読媒体はまた、多重化信号をＩブランチにおいて受信された部分とＱブランチにおいて受信された部分とに分離することを少なくとも１つのコンピュータに行わせるためのコードを備えることができる。さらに、コンピュータ可読媒体は、通信チャネル上で複数のワイヤレスデバイスのうちの１つによって送信されるデータを生成するために、Ｉブランチにおいて受信された部分の一部とＱブランチにおいて受信された部分の一部とを復調することを少なくとも１つのコンピュータに行わせるためのコードを備えることができる。
【００１７】
さらに、追加の態様は装置に関する。この装置は、通信チャネルに関係する複数のワイヤレスデバイスから多重化信号を受信する受信機と、通信チャネルのＩブランチとＱブランチの両方の上で送信される複数の信号を生じるためにＩブランチおよびＱブランチを多重分離するデマルチプレクサとを含む。この装置は、複数のワイヤレスデバイスのうちの１つによって送信されるデータを決定するために、Ｉブランチ上で送信される複数の信号のうちの少なくとも１つとＱブランチ上で送信される複数の信号のうちの少なくとも１つとを復調する復調器をさらに含むことができる。
【００１８】
上記および関連する目的を達成するために、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を使用する様々な方法のほんのいくつかを示すものであり、説明する実施形態は、すべてのそのような態様およびそれらの均等物を含むものとする。
【図面の簡単な説明】
【００１９】
【図１】本明細書に記載の様々な態様によるワイヤレス通信システムを示す図。
【図２】Ｉ／Ｑインバランスを緩和するためにＩブランチおよびＱブランチ上で信号を変調するための例示的なデバイスを示す図。
【図３】ワイヤレス通信環境内で使用するための例示的な通信装置を示す図。
【図４】ＩブランチおよびＱブランチ上で信号を送信および受信することを実施する例示的なワイヤレス通信システムを示す図。
【図５】受信された構成情報に従ってＩブランチおよびＱブランチ上で信号を送信することを可能にする例示的な方法を示す図。
【図６】ＩブランチおよびＱブランチ上で受信された信号を処理することを可能にする例示的な方法を示す図。
【図７】ＩブランチおよびＱブランチ上で送信するための信号を変調および／またはスクランブルする例示的なモバイルデバイスを示す図。
【図８】チャネル構成を割り当て、ＩブランチおよびＱブランチ上で送信された信号を受信する例示的なシステムを示す図。
【図９】本明細書に記載の様々なシステムおよび方法とともに使用できる例示的なワイヤレスネットワーク環境を示す図。
【図１０】ＩブランチおよびＱブランチ上で信号送信を分散させることによってＩ／Ｑインバランスを緩和する例示的なシステムを示す図。
【図１１】ＩブランチおよびＱブランチ上で送信された信号を受信し、その信号からデバイスデータを決定する例示的なシステムを示す図。
【発明を実施するための形態】
【００２０】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００２１】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散させることができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２２】
さらに、様々な実施形態について、モバイルデバイスに関して本明細書で説明する。モバイルデバイスは、システム、加入者ユニット、加入者局、移動局、移動体、リモート局、リモート端末、アクセス端末、ユーザ端末、端末無線通信デバイス、ユーザエージェント、ユーザデバイス、またはユーザ機器（ＵＥ）と呼ばれることもある。モバイルデバイスは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、発展型ノードＢ（ｅノードＢもしくはｅＮＢ）、送受信基地局（ＢＴＳ）、または何らかの他の用語で呼ばれることもある。
【００２３】
さらに、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００２４】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重（ＳＣ−ＦＤＭＡ）および他のシステムなど、様々なワイヤレス通信システムに対して使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを利用し、アップリンク上ではＳＣ−ＦＤＭＡを利用するＥ−ＵＴＲＡを使用する今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。本明細書で説明する技法はまた、１ｘＥＶ−ＤＯリビジョンＢまたは他のリビジョンなどのＥｖｏｌｕｔｉｏｎ  Ｄａｔａ  Ｏｐｔｉｍｉｚｅｄ（ＥＶ−ＤＯ）規格で利用できる。さらに、そのようなワイヤレス通信システムは、追加として、不対無許可スペクトル、８０２．ｘｘワイヤレスＬＡＮ、ＢＬＵＥＴＯＯＴＨ(登録商標)、および任意の他の短距離または長距離ワイヤレス通信技法をしばしば使用するピアツーピア（たとえば、モバイル間の）アドホックネットワークシステムを含むことができる。
【００２５】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２６】
ここで図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００２７】
基地局１０２は、１つまたは複数のモバイルデバイス、たとえばモバイルデバイス１１６およびモバイルデバイス１２２と通信することができるが、基地局１０２は、モバイルデバイス１１６および１２２と同様である実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。図示のように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００２８】
アンテナの各グループおよび／またはそれらが通信するように指定されたエリアを、基地局１０２のセクタと呼ぶことができる。たとえば、基地局１０２によってカバーされるエリアのセクタ内のモバイルデバイスと通信するようにアンテナグループを設計することができる。順方向リンク１１８および１２４を介した通信では、基地局１０２の送信アンテナは、モバイルデバイス１１６および１２２についての順方向リンク１１８および１２４の信号対雑音比を向上させるためにビームフォーミングを利用することができる。さらに、基地局１０２が、関連するカバレージ中に不規則に散在するモバイルデバイス１１６および１２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１１６および１２２は、ピアツーピアまたはアドホック技術を使用して互いに直接通信することができる（図示せず）。
【００２９】
一例によれば、システム１００は多入力多出力（ＭＩＭＯ）通信システムとすることができる。さらに、システム１００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法でも利用することができる。さらに、チャネル上での複数のデバイスとの同時通信を可能にするために通信チャネルを直交させ、一例では、この点についてＯＦＤＭを利用することができる。モバイルデバイス１１６および１２２は、チャネル上の直交性を保証するために、２位相偏移キーイング（ＢＰＳＫ）、４位相偏移キーイング（ＱＰＳＫ）、Ｍ位相偏移キーイング（Ｍ−ＰＳＫ）などを使用して１つまたは複数の通信チャネル上でデータを１つまたは複数の通信信号に変調することができる。モバイルデバイス１１６および１２２は、たとえば、同相／直交位相（Ｉ／Ｑ）多重化を使用して変調信号を多重化し、その信号を基地局１０２におよび／または互いに（図示せず）送信することができる。そのようなＩ／Ｑ多重化は、干渉を緩和するために互いに回転される２つのブランチの各々の上での通信を可能にすることによって通信チャネルの容量を増大させる。しかしながら、ＩブランチおよびＱブランチ上で送信される信号は、ブランチ上の信号の送信電力のインバランスにより他のブランチからの干渉を受ける可能性がある。
【００３０】
Ｉ／Ｑインバランスを緩和するために、モバイルデバイス１１６および１２２は、少なくとも１つの信号がＩブランチとＱブランチの両方の上で送信されるように所与の変調信号を多重化することができる。一例では、モバイルデバイス１１６および１２２は、変調信号の一部分（たとえば、信号の実質的に半分）をＩブランチ上で送信し、残りの部分を対応するＱブランチ上で送信することができる。これにより、それらのブランチ上で電力が実質的に均等になる。別の例では、変調信号を信号グループ中で送信する場合、多重送信においてＩブランチとＱブランチとの間でグループ中の信号を交番させることができる。基地局１０２からの信号を同様に変調および／または多重化することができることを諒解されたい。さらに、モバイルデバイス１１６および／または１２２あるいは基地局１０２は、前述のように、本明細書で説明する多重化機能および／または変調機能を利用して、ピアツーピアまたはアドホックモードで同様のデバイスと通信することができる。
【００３１】
次に図２を参照すると、後の送信のためにＩブランチおよびＱブランチ上でデータを拡散することを可能にするシステム２００が示されている。システム２００は、ワイヤレス通信ネットワーク上で信号として送信するためのデータを準備する変調器２０２を含む。変調器２０２は、図示のように、チャネル構成情報とともに入力として送信すべきデータを受信することができる。チャネル構成情報は、たとえば、ワイヤレスデバイスによって割り当てられるチャネルリソース、チャネル上でデータを送信することに関係する情報、たとえば、データを変調、スクランブル、および／または多重化するためのコード、送信間隔、繰返し／要求情報などに関係することができる。チャネル構成情報に従って、変調器２０２は、送信用の関連するアンテナ（図示せず）のＩブランチおよびＱブランチ上でデータを拡散することができる。
【００３２】
受信されたチャネル構成情報は、ＩブランチおよびＱブランチ上でデータを拡散するための１つまたは複数の命令を規定する。一例では、チャネル構成情報は、（たとえば、ウォルシュコードを含む）直交または擬似直交コード、Ｍ行列、および／または良好な相関特性を有する他のそのようなコード／行列などのコードまたは行列を備えることができる。擬似直交コードは、行もしくは列が直交であるコード行列、または部分直交性を示すコードの任意の他のセットを指すことができることを諒解されたい。変調器２０２は、送信のためにデータを信号に変換するためのコードを利用することができる。一例では、そのコードは、データに適用されると、Ｉブランチ上で信号を生成し、Ｑブランチでは９０度位相回転された信号を生成することができる。一例によれば、そのコードにより、データに関係する信号電力の実質的に１／２がＩブランチ上にあり、他の１／２はＱブランチ上にあるように信号を生成することが可能になる。これにより、説明したようにＩ／Ｑインバランスを緩和することができる。
【００３３】
別の例では、チャネル構成情報は、変調器２０２によって生成される信号を複数回送信することができるように信号繰返しを行うことに関係する。これは、たとえば、自動繰返し／要求（ＡＲＱ）構成、ハイブリッドＡＲＱ（ＨＡＲＱ）構成などにおいて行われ、所与のチャネルについて、制御チャネル要素（ＣＣＥ）などの複数の部分時間および周波数リソースが存在できる。したがって、一例では、チャネル構成情報に従って、変調器２０２は、Ｉブランチ上では信号を送信し、Ｑブランチ上では信号を繰り返すことができる。一例では、この構成は２回以上の繰返しを指定することができ、信号は、ＩブランチとＱブランチとの間で交番し、あるいは各ブランチ上で少なくとも１回送信することができることを諒解されたい。さらに、たとえば、チャネル構成情報は、信号が以前はＩブランチ送信用にスケジュールされていたＱブランチ上で（および／またはその逆も同様）信号の少なくとも一部の送信を引き起こすように複素（complex）スクランブリングコードを適用することに関係する。さらに、一例では、変調器２０２は、アップリンクシングルユーザ（ＳＵ）ＭＩＭＯチャネルなど、複数のトランスポートブロックを用いてＭＩＭＯチャネル上でデバイスと通信することをサポートすることができる。この点について、変調器２０２は、ＳＵ−ＭＩＭＯチャネルをサポートする際のＩ／Ｑインバランスを緩和するために、それぞれ少なくとも１つのＩブランチと少なくとも１つのＱブランチ上で複数の物理ＨＡＲＱインジケータチャネル（ＰＨＩＣＨ）に関係する信号を変調することができる。
【００３４】
図３を参照すると、ワイヤレス通信環境内で使用するための通信装置３００が示されている。通信装置３００は、基地局もしくはその部分、モバイルデバイスもしくはその部分、またはワイヤレス通信環境中で送信されたデータを受信する実質的に任意の通信装置とすることができる。通信装置３００は、１つまたは複数のチャネルリソースを１つまたは複数のワイヤレスデバイス（図示せず）に割り振るチャネルリソース割当て器３０２と、１つまたは複数のワイヤレスデバイスによって送信された１つまたは複数の信号を受信する信号受信機３０４とを含むことができる。以前の解決策では、各ワイヤレスデバイスまたは関連するユーザがチャネルのＩブランチまたはＱブランチのいずれかの上でデータを送信するように信号が多重化された。したがって、各ワイヤレスデバイスまたは関連するユーザは、信号チャネルブランチ（たとえば、ＩブランチまたはＱブランチ）上で送信するためのウォルシュコードを利用した多重化構成に割り当てられた。ウォルシュコードは、通信チャネルを定義する際におけるデータまたは信号に適用される直交符号を指すことができることを諒解されたい。たとえば、４つの信号をサポートするチャネル用のウォルシュコードは、［１  １  １  １］、［１  −１  １  −１］、［１  １  −１  −１］、および［１  −１  −１  １］を含み、それらはＩブランチ上で送信できる。したがって、チャネルは、Ｑブランチ上で送信できる（たとえば、虚数
【数１】
2011514737.tif 000003
【００３５】
を乗算して）９０度位相回転を用いて適用されるウォルシュコードを追加することによって８つの信号をサポートするように拡張できる。
【００３６】
本明細書で説明する主題によれば、チャネルリソース割当て器３０２は、所与のワイヤレスデバイスが、関連する信号の一部分（たとえば、信号の半分）をＩブランチ上で送信し、残りの部分をＱブランチ上で送信するようにワイヤレスデバイスに多重化構成を割り振ることができる。この点について、ブランチ上で送信電力を実質的に同程度にすることができる。一例では、これは、以下で説明する修正ウォルシュコード、Ｍ行列、または良好な相関特性をもつ実質的に任意の行列を利用することによって達成できる。たとえば、ウォルシュコードがシンボルを多重化するために利用される場合、そのコードは、それぞれＩブランチモディファイアおよびＱブランチモディファイアを有する。したがって、たとえば、Ｉ／Ｑ多重化を用いた８つの信号をサポートするチャネル用のウォルシュコードは、［１  １  ｊ  ｊ］、［１  −１  ｊ  −ｊ］、［１  １  −ｊ  −ｊ］、［１  −１  −ｊ  ｊ］、ならびにｊで乗算された上記のコードを含むことができる。したがって、この例では、チャネルリソース割当て器３０２は、チャネルのうちの１つまたは複数と、対応するウォルシュコードとをワイヤレスデバイスに割り振ることができる。その後、信号受信機３０４は、コードにより所与のチャネル信号のためのＩブランチおよびＱブランチ上での送信が引き起こされるとき、割り当てられたウォルシュコードに従うチャネル上でワイヤレスデバイスから信号を受信し、最小のＩ／Ｑインバランスで信号を多重分離することができる。別の例では、信号を複数のＣＣＥ、またはチャネルの他の部分時間および周波数リソース上に分散させることができる。この点について、チャネルリソース割当て器３０２は、ワイヤレスデバイスが所与の信号のためにＩブランチとＱブランチとの間で交番してＣＣＥ上で信号を送信することができるように、ＣＣＥを割り振ることができる。さらに別の例では、チャネルリソース割当て器３０２は、信号を符号化するのに利用すべき複素スクランブリングコードを指定することができる。そのコードにより、信号がＩブランチおよびＱブランチ上で送信されることになる。
【００３７】
次に図４を参照すると、分散されたＩ／Ｑ多重化信号を使用して通信することを可能にするワイヤレス通信システム４００が示されている。ワイヤレスデバイス４０２および／または４０４は、（独立に電力供給されるデバイスだけでなく、たとえば、モデムをも含む）モバイルデバイス、基地局、および／またはその部分とすることができる。一例では、デバイス４０２および４０４が同様のタイプである場合、ワイヤレスデバイス４０２および４０４はピアツーピアまたはアドホック技術を使用して通信することができる。さらに、システム４００はＭＩＭＯシステムとし、および／または１つまたは複数のワイヤレスネットワークシステム規格（たとえば、ＥＶ−ＤＯ、３ＧＰＰ、３ＧＰＰ２、３ＧＰＰ  ＬＴＥ、ＷｉＭＡＸなど）に準拠することができる。また、ワイヤレスデバイス４０２中の以下で図示し、説明する構成要素および機能は、一例では、ワイヤレスデバイス４０４中に存在することもでき、その逆も同様である。図示された構成では、説明を簡単にするためにこれらの構成要素を除外している。
【００３８】
ワイヤレスデバイス４０２は、通信チャネル上での通信に関係する情報を取得するチャネルリソース決定器４０６と、通信チャネル上で送信すべき１つまたは複数の信号にデータを変調するデータ変調器４０８と、送信中の保護のためにメッセージを符号化するスクランブル系列を１つまたは複数の信号に適用する信号スクランブラ４１０と、ワイヤレス通信システム４００を介して信号を送信する送信機４１２とを含む。ワイヤレスデバイス４０４は、ワイヤレスデバイス４０２などの１つまたは複数のワイヤレスデバイスに通信チャネルリソースを割り振るチャネルリソース割当て器４１４と、その１つまたは複数のワイヤレスデバイスから１つまたは複数の信号を受信する受信機４１６と、受信信号上で適用されたスクランブリングコードを反転させるデスクランブラ４１８と、受信信号を１つまたは複数の個々の信号に多重分離するデマルチプレクサ４２０と、信号を復調して信号によって搬送されていたデータを生成する復調器４２２とを含むことができる。ワイヤレスデバイス４０２および４０４中の構成要素のうちの１つまたは複数は随意とすることができることを諒解されたい。たとえば、信号スクランブラ４１０は、存在しなくてもまたはワイヤレスデバイス４０２によって利用されなくてもよく、ワイヤレスデバイス４０４におけるデスクランブラ４１８の存在または利用は、信号スクランブラ４１０が存在および／または利用されるかどうかに依存することができる。
【００３９】
一例によれば、ワイヤレスデバイス４０２は、本明細書で説明するように、実質的にバランスのとれたＩ／Ｑ多重化を可能にするためにＩブランチおよびＱブランチ上で信号を分散させることができる。一例では、チャネルリソース決定器４０６は、１つまたは複数のチャネルリソース、および／またはそれを介して信号を送信するための関連する構成情報を取得することができる。これは、ワイヤレスデバイス４０２中にハードコーディングし、１つまたは複数のネットワーク構成要素から受信し、チャネルリソース割当て器４１４から受信するなどが可能である。構成情報は、通信チャネルのＩブランチおよびＱブランチ上で信号を送信することに関係する。一例では、上述のように、少なくとも１つのウォルシュコードがＩ部分またはＱ部分を有するデータを変調し、データの変調の結果、Ｉブランチ上に変調されるデータの部分とＱブランチ上に変調されるデータの部分とを生じるように、情報は、１つまたは複数のウォルシュコード、または他の直交または擬似直交コードとすることができる。
【００４０】
一例では、チャネルリソース割当て器４１４は、様々なワイヤレスデバイスが複数の信号間で、したがって複数のデバイス間でチャネルを共有することをサポートするために、チャネルリソースおよび／または変調データを定義し、割り振る。たとえば、チャネルリソース割当て器４１４は、ＩブランチおよびＱブランチ上でデータの直交変調を行うために列に各デバイスを割り当てるウォルシュコードの以下の行列を使用することができる。
【００４１】
Ｉブランチには、
【数２】
2011514737.tif 000004
【００４２】
Ｑブランチには、
【数３】
2011514737.tif 000005
【００４３】
したがって、デバイスに割り当てられた列によって表される各コードは、ＩブランチおよびＱブランチ特性を適用して両方のブランチ上で信号を均等化する。この例では、ワイヤレスデバイス４０２を含む様々なワイヤレスデバイスからワイヤレスデバイス４０４への信号として送信用に８つのチャネルをグループ化することができる。より多いまたはより少ないチャネルを同様にグループ化することができることを諒解されたい。たとえば、チャネルが４つのグループを含む場合、以下のコードを利用することができる。
【００４４】
Ｉブランチには、
【数４】
2011514737.tif 000006
【００４５】
Ｑブランチには、
【数５】
2011514737.tif 000007
【００４６】
一例によれば、チャネルはＰＨＩＣＨなどの制御チャネルとすることができる。さらに、チャネルは、複数のトランスポートブロックとのアップリンクＳＵ−ＭＩＭＯ通信をサポートするために、複数のＰＨＩＣＨなどの複数の制御チャネルに関することができる。この例では、複数のＰＨＩＣＨは、ワイヤレスデバイス４０４などの単一デバイスに関係し、複数のＰＨＩＣＨをそのデバイスに通信するときのインバランスを緩和するためにそれぞれＩブランチおよびＱブランチ上で送信する。さらに、チャネルウォルシュコードは、チャネルに関係する巡回プレフィックス（ＣＰ）に基づいて構築できる（たとえば、通常のＣＰをもつＰＨＩＣＨは、８つのコードグルーピングを利用するが、拡張されたＣＰをもつＰＨＩＣＨは、４つのコードグルーピングを利用することができる）。
【００４７】
チャネルリソース決定器４０６は、たとえば、チャネル上で信号を送信するための１つまたは複数の直交または擬似直交コード（たとえば、ウォルシュコード）を含むリソース割当てをワイヤレスデバイス４０４（たとえば、チャネルリソース割当て器４１４）から受信する。この例では、データ変調器４０８は、送信用の１つまたは複数の信号を生成するために提供されたコードを使用してチャネルのＩブランチおよびＱブランチ上でデータを拡散する。一例では、信号スクランブラ４１０は、スクランブリングコードを信号に適用し、送信機４１２は、スクランブルされた信号を送信する。一例では、ワイヤレスデバイス４０４は、その信号をＩブランチおよびＱブランチ上で異種ワイヤレスデバイスへの／からの１つまたは複数の信号とともに受信し、信号は、データを信号に変調するのにデバイスによって利用されるコードに基づいて多重化された信号として現れる。
【００４８】
たとえば、受信機４１６は多重化信号を受信し、スクランブルされている場合、デスクランブラ４１８は信号を逆スクランブルする。デマルチプレクサ４２０は、その信号を、デバイスへ／によって送信される信号に多重分離する。一例では、デマルチプレクサ４２０は、ＩブランチとＱブランチの両方の上で受信された信号を評価して、ワイヤレスデバイス４０２などの別個のデバイスへ／によって送信される信号を決定することができる。たとえば、ＩブランチおよびＱブランチ上で受信される信号は次のように表すことができる。
【数６】
2011514737.tif 000008
【００４９】
ただし、Ｍは、各ブランチにおいて個々に処理できるチャネルの数であり、ｈは、Ｍ×１グリッド上のチャネル利得であり、ｗはウォルシュコードであり、
【数７】
2011514737.tif 000009
【００５０】
は、Ｉブランチ上の各チャネル上で送信される信号のベクトルであり、
【数８】
2011514737.tif 000010
【００５１】
は、Ｑブランチ上の各チャネル上で送信される信号のベクトルであり、
【数９】
2011514737.tif 000011
【００５２】
は、両方のブランチ上の各チャネル上のノイズを表すベクトルである。この例では、Ｍ個のトーンがあり、２Ｍ個のチャネルグループがＩブランチおよびＱブランチ上に分散される。したがって、デマルチプレクサ４２０は、ベクトル
【数１０】
2011514737.tif 000012
【００５３】
にチャネル推定を適用することができる。ＩブランチとＱブランチを分離すると、一例では、以下が各ブランチの信号を表す。
【数１１】
2011514737.tif 000013
【００５４】
したがって、
【数１２】
2011514737.tif 000014
【００５５】
上でデマルチプレクサ４２０を使用して逆拡散すると、最初のＭ個のＰＨＩＣＨ上に所望の信号が生じ、
【数１３】
2011514737.tif 000015
【００５６】
上で逆拡散すると、残りのＭ個のＰＨＩＣＨ信号が生じる。信号が逆拡散されると、復調器４２２は、たとえば、上記の利用された直交または擬似直交コード（たとえば、ウォルシュコード）に基づいて信号からデータを生成する。これは、ブランチ上の分散の一例にすぎないことを諒解されたい。たとえば、説明したように、分散を均等に分割しなくてもよい。また、ウォルシュコードを使用しなくてよいことを諒解されたい。そうではなく、この点について、たとえば、Ｍ行列、または良好な相関特性をもつ実質的に任意の行列を利用することもできる。
【００５７】
別の例では、チャネルリソース決定器４０６において受信される構成情報は、少なくとも１つの送信がＩブランチ上にあり、少なくとも１つの送信がＱブランチ上にあるように繰り返される信号の交番送信に関することができる。たとえば、信号が送信されるチャネルが信号の繰返し送信（たとえば、チャネル当たり２つ以上のＣＣＥ）が可能である場合、データ変調器４０８は、所望のデータを、送信機４１２による１つの送信のためにＩブランチ上で信号に変調し、後続の送信のためにＱブランチ上で信号に変調する、などが可能である。これにより、一例では、信号の完全な送信のために送信電力がＩブランチおよびＱブランチ上で効果的に均等化される。同様に前の例では、信号スクランブラ４１０はセキュリティのために信号を符号化し、送信機４１２はその信号を送信し、その信号は受信機４１６において受信される。信号スクランブラ４１０によってスクランブルされる場合、デスクランブラ４１８は信号を逆スクランブルし、デマルチプレクサ４２０は（たとえば、この例では従来の方法を使用して）受信信号を多重分離する。その後、復調器４２２は適用されたウォルシュコードを反転させて、ワイヤレスデバイス４０２などのデバイスによって信号中で送信されるデータを決定することができる。
【００５８】
さらに、一例では、チャネルリソース決定器４０６から受信された構成情報は、得られる信号がＩブランチまたはＱブランチ上にあるように信号用の複素スクランブリングコードを使用することに関することができる。たとえば、データ変調器４０８は、Ｉブランチ上でデータを変調して、Ｉブランチ上で送信するための信号を生成することができる。信号スクランブラ４１０は複素スクランブリングコードを適用し、それにより、信号の一部分または実質的に全部が送信機４１２によってＱブランチ上で送信されるようになる。この点について、ＩブランチおよびＱブランチ上で送信電力を均等化または拡散してＩ／Ｑインバランスを緩和するための信号の分散も可能である。この場合、受信機４１６は、Ｉブランチ信号およびＱブランチ信号を受信し、デスクランブラ４１８は、複素スクランブリングコードを使用して受信信号を逆スクランブルし、デマルチプレクサ４２０は、復調４２２のためにＩブランチおよびＱブランチから個々の信号を分離する。説明したように、復調器４２２は、信号上にデータを拡散するために利用されたウォルシュコードなどのコードに基づいて信号中で送信されるデータを決定する。ＩブランチとＱブランチの両方の上で信号を変調する実質的に任意の機能が可能であることを諒解されたい。上記は、ほんのいくつか例である。
【００５９】
図５〜図６を参照すると、Ｉ／Ｑインバランスを緩和しながらＩ／Ｑ多重化を使用して信号を送信し、受信することに関係する方法が示されている。説明を簡潔にする目的で、方法を一連の行為として図示し説明するが、いくつかの行為は、１つまたは複数の実施形態によれば、本明細書で図示し説明する順序とは異なる順序で、および／または他の行為と同時に行われることができるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の実施形態による方法を実施するために、図示のすべての行為が必要とされるわけではない。
【００６０】
図５を参照すると、ワイヤレス通信チャネル上で送信する際にＩ／Ｑインバランスを緩和することを可能にする方法５００が示されている。５０２において、ワイヤレス通信チャネルに関係する構成情報を受信する。たとえば、説明したように、構成情報は、チャネル上で信号の直交通信を可能にするための良好な相関特性をもつ１つまたは複数のコードまたは行列（たとえば、ウォルシュコード）、複素スクランブリングコード、複数のＣＣＥチャネル用の送信規格などに関することができる。この点について、構成情報は、信号の一部分をＩブランチ上で送信し、一部分をＱブランチ上で送信することに関することができる。５０４において、前述のように、Ｉ／Ｑインバランスを緩和するために構成情報に従ってデータを１つまたは複数の信号に変調する。たとえば、構成情報がウォルシュコードを備える場合、そのコードは、実数要素と複素要素を有することができ、したがって、そのコードを使用して変調すると、データの所与のセットに対してＩ信号およびＱ信号を生じることになる。さらに、一例では、構成情報が複素スクランブリングコードに関する場合、説明したように、信号の一部分はＩブランチ上でスクランブルされ、一部分はＱブランチ上でスクランブルされる。５０６において、通信チャネルのＩブランチおよびＱブランチ上で信号を送信する。これにより、たとえば、Ｉ／Ｑインバランスを緩和するために関連する送信電力を一様に拡散することができる。
【００６１】
図６を参照すると、Ｉ／Ｑインバランスを緩和するためにＩブランチおよびＱブランチ上で送信されたデータを受信することを可能にする方法６００が示されている。６０２において、通信チャネルに関係する複数のワイヤレスデバイスへの／からの多重化信号を受信する。たとえば、その多重化信号は、通信チャネル上で様々なワイヤレスデバイスへ／によって送信される複数の信号を備えることができる。説明したように、たとえば、上記を達成するようにデータを変調するための良好な相関特性をもつ行列またはコードを使用することができる。６０４において、多重化信号を、Ｉブランチ上で受信された部分とＱブランチ上で受信された部分とに分離する。一例では、さらにこれらのブランチ上での直交送信を可能にするために、Ｉブランチと比較してＱブランチを９０度位相回転することができる。６０６において、Ｉブランチ上で受信された部分とＱブランチ上で受信された部分とを、複数のワイヤレスデバイスへ／によって送信される複数の信号に多重分離する。６０８において、ＩブランチとＱブランチの両方から多重分離された信号を復調して、たとえば、所与のワイヤレスデバイスのために通信チャネル上で送信されるデータを決定する。このようにして、Ｉ／Ｑインバランスを緩和するために両方のブランチを使用してデータを送信する。
【００６２】
本明細書で説明する１つまたは複数の態様によれば、データを変調する際に使用すべきコード、データを符号化するのに使用するスクランブリングコード、様々なＣＣＥ中でＩブランチおよびＱブランチ上でデータを送信するための繰返し方式などを決定することに関して推論をなすことができることを諒解されたい。本明細書で使用する「推論する」または「推論」という用語は、概して、事象および／またはデータを介して捕捉された観察のセットからシステム、環境および／またはユーザの状態について推理する、またはその状態を推論するプロセスを指す。推論は、特定の文脈または動作を識別するために使用でき、または、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観察された事象および／または記憶された事象データのセットから新しい事象または動作が構成される。
【００６３】
図７は、チャネルのＩブランチおよびＱブランチ上で信号を送信することを可能にするモバイルデバイス７００の図である。モバイルデバイス７００は、たとえば、受信アンテナ（図示せず）から１つまたは複数のキャリア上で１つまたは複数の信号を受信し、受信信号に対して典型的な動作（たとえば、フィルタ処理、増幅、ダウンコンバートなど）を実行し、調整された信号をデジタル化してサンプルを取得する受信機７０２を備える。受信機７０２は、受信されたシンボルを復調し、チャネル推定のためにプロセッサ７０６に供給する復調器７０４を備えることができる。プロセッサ７０６は、受信機７０２によって受信された情報の分析および／または送信機７１６による送信のための情報の生成に専用のプロセッサ、モバイルデバイス７００の１つまたは複数の構成要素を制御するプロセッサ、および／または受信機７０２によって受信された情報の分析、送信機７１６による送信のための情報の生成、ならびにモバイルデバイス７００の１つまたは複数の構成要素の制御の両方を行うプロセッサとすることができる。
【００６４】
モバイルデバイス７００は、さらに、メモリ７０８を備えることができ、メモリ７０８は、プロセッサ７０６に動作可能に結合され、送信すべきデータ、受信されたデータ、使用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ７０８は、さらに（たとえばパフォーマンスベース、容量ベースなどの）チャネルの推定および／または利用に関連するプロトコルおよび／またはアルゴリズムを記憶することができる。
【００６５】
本明細書で説明するデータストア（たとえばメモリ７０８）は、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ７０８は、これらおよび他の適切なタイプのメモリを、それらに限定されることなく、備えるものとする。
【００６６】
プロセッサ７０６は、さらに、ワイヤレスネットワークを介してデータを送信することに関係するパラメータを取得する構成情報受信機７１０に動作可能に結合できる。たとえば、説明したように、構成情報は、データから信号を生成するのに利用できるコードおよび／または行列に関することができ、得られた信号は、通信チャネルのＩブランチとＱブランチの両方の上で送信される。モバイルデバイス７００は、またさらに、説明したように、構成情報に基づいてデータを信号に変調する変調器７１２を備える。たとえば、変調器７１２は、コードおよび／または行列（たとえば、良好な相関特性をもつウォルシュコードまたは他のコード／行列）をデータに適用して信号を生成することができる。
【００６７】
さらに、モバイルデバイス７００は、セキュア（secure）な送信のために信号を符号化するスクランブラ７１４を備えることができる。説明したように、たとえば、スクランブラ７１４は、追加または代替として、信号の一部分をＩブランチ上で送信させ、残りの部分をＱブランチ上で送信させるために複素スクランブリングコードを利用することができる。モバイルデバイスはまた、たとえば、基地局、別のモバイルデバイスなどに信号を送信する送信機７１６を備える。プロセッサ７０６とは別個のものとして図示されているが、復調器７０４、構成情報受信機、変調器７１２、および／またはスクランブラ７１４は、プロセッサ７０６または複数のプロセッサ（図示せず）の一部とすることができることを諒解されたい。
【００６８】
図８は、通信チャネルのＩブランチおよびＱブランチ上でモバイルデバイスから信号を受信することを可能にするシステム８００の図である。システム８００は基地局８０２（たとえば、アクセスポイント、．．．）を備え、基地局８０２は、複数の受信アンテナ８０６を介して１つまたは複数のモバイルデバイス８０４から（１つまたは複数の）信号を受信する受信機８１０と、送信アンテナ８０８を介して１つまたは複数のモバイルデバイス８０４に送信する送信機８２４とを有する。受信機８１０は、受信アンテナ８０６から情報を受信することができ、受信信号を復号するデスクランブラに動作可能に結合される。さらに、復調器８１４は、受信され逆スクランブルされた信号を復調することができる。復調されたシンボルは、図７に関して上述したプロセッサと同様とすることができるプロセッサ８１６によって分析され、プロセッサ８１６は、信号（たとえばパイロット）強度および／または干渉強度、（１つまたは複数の）モバイルデバイス８０４（または異なる基地局（図示せず））に送信されるべきデータまたはそこから受信されるべきデータを推定することに関係する情報、および／または本明細書に記載の様々な動作および機能を行うことに関係する他の適切な情報を記憶するメモリ８１８に結合される。プロセッサ８１６は、さらに、１つまたは複数のモバイルデバイス８０４にチャネル構成情報を割り当て、それにその情報を送信する構成情報指定器８２０に結合される。
【００６９】
一例によれば、デスクランブラ８１２は、ＩブランチまたはＱブランチ上で受信された信号を復号して、復調のための単一信号を生成する。別の例では、復調器８１４は、ＩブランチおよびＱブランチ上で受信された信号を復調して、モバイルデバイス８０４からのデータを決定する。構成情報指定器８２０は、モバイルデバイス８０４に送信／受信においてＩブランチおよびＱブランチを利用するように強要する構成情報をモバイルデバイス８０４に送信する。説明したように、ＩブランチおよびＱブランチ上でデバイスへ／からデータを送信すると、それらのブランチ上で送信電力を分散させてＩ／Ｑインバランスを緩和することができる。さらに、プロセッサ８１６とは別個のものとして図示されているが、復調器８１４、デスクランブラ８１８、構成情報指定器８２０、および／または変調器８２２は、プロセッサ８１６または複数のプロセッサ（図示せず）の一部とすることができることを諒解されたい。
【００７０】
図９に、例示的なワイヤレス通信システム９００を示す。ワイヤレス通信システム９００には、簡潔のために、１つの基地局９１０と、１つのモバイルデバイス９５０とを示してある。ただし、システム９００は２つ以上の基地局および／または２つ以上のモバイルデバイスを含むことができ、追加の基地局および／またはモバイルデバイスは、以下で説明する例示的な基地局９１０およびモバイルデバイス９５０と実質的に同様または異なるものとすることができることを諒解されたい。さらに、基地局９１０および／またはモバイルデバイス９５０は、それらの間のワイヤレス通信を可能にするために、本明細書で説明するシステム（図１〜図４および図７〜図８）および／または方法（図５〜図６）を使用することができることを諒解されたい。
【００７１】
基地局９１０では、いくつかのデータストリームのトラフィックデータがデータソース９１２から送信（ＴＸ）データプロセッサ９１４に供給される。一例によれば、各データストリームはそれぞれのアンテナを介して送信できる。ＴＸデータプロセッサ９１４は、トラフィックデータストリーム用に選択された特定のコーディング方式に基づいてそのデータストリームをフォーマッティングし、コーディングし、インターリーブして、符号化データを与える。
【００７２】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス９５０において使用できる。各データストリームの多重化されたパイロットデータおよび符号化データは、変調シンボルを供給するためにそのデータストリームに対して選択された特定の変調方式（たとえば、ＢＰＳＫ、ＱＳＰＫ、Ｍ−ＰＳＫ、または多値直交振幅変調（Ｍ−ＱＡＭ）など）に基づいて変調できる（たとえば、シンボルマッピングできる）。各データストリームのデータ速度、コーディング、および変調は、プロセッサ９３０によって実行または与えられる命令によって決定できる。
【００７３】
データストリームの変調シンボルはＴＸ  ＭＩＭＯプロセッサ９２０に与えられ、ＴＸ  ＭＩＭＯプロセッサ９２０は、さらに（たとえば、ＯＦＤＭ用に）変調シンボルを処理する。次いで、ＴＸ  ＭＩＭＯプロセッサ９２０はＮＴ個の変調シンボルストリームをＮＴ個の送信機（ＴＭＴＲ）９２２ａ〜９２２ｔに供給する。様々な実施形態において、ＴＸ  ＭＩＭＯプロセッサ９２０は、データストリームのシンボルと、シンボルが送信されているアンテナとにビームフォーミング重みを適用する。
【００７４】
各送信機９２２は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネル上で送信するのに適した変調信号を与える。さらに、送信機９２２ａ〜９２２ｔからのＮＴ個の変調信号は、それぞれＮＴ個のアンテナ９２４ａ〜９２４ｔから送信される。
【００７５】
モバイルデバイス９５０では、送信された変調信号はＮＲ個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの信号を調整（たとえば、フィルタ処理、増幅、およびダウンコンバート）し、調整された信号をデジタル化してサンプルを供給し、さらに、それらのサンプルを処理して、対応する「受信」シンボルストリームを供給する。
【００７６】
ＲＸデータプロセッサ９６０は、特定の受信機処理技法に基づいてＮＲ個の受信機９５４からＮＲ個の受信シンボルストリームを受信し、処理して、ＮＴ個の「検出」シンボルストリームを供給する。ＲＸデータプロセッサ９６０は、各検出シンボルストリームを復調し、デインターリーブし、復号して、データストリームのトラフィックデータを回復することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【００７７】
プロセッサ９７０は、上述のように、どのプリコーディング行列を利用すべきかを周期的に決定することができる。さらに、プロセッサ９７０は、行列インデックス部と階数値部とを備える逆方向リンクメッセージを作成することができる。
【００７８】
逆方向リンクメッセージは、通信リンクおよび／または受信データストリームに関する様々なタイプの情報を備えることができる。逆方向リンクメッセージは、データソース９３６から複数のデータストリームのトラフィックデータをも受信するＴＸデータプロセッサ９３８によって処理され、変調器９８０によって変調され、送信機９５４ａ〜９５４ｒによって調整され、基地局９１０に戻される。
【００７９】
基地局９１０において、モバイルデバイス９５０からの変調信号は、アンテナ９２４によって受信され、受信機９２２によって調整され、復調器９４０によって復調され、ＲＸデータプロセッサ９４２によって処理されて、モバイルデバイス９５０によって送信された逆方向リンクメッセージが抽出される。さらに、プロセッサ９３０は、抽出されたメッセージを処理して、ビームフォーミング重みを決定するためにどのプリコーディング行列を使用すべきかを決定する。
【００８０】
プロセッサ９３０および９７０は、それぞれ基地局９１０およびモバイルデバイス９５０における動作を指示（たとえば、制御、調整、管理など）することができる。それぞれのプロセッサ９３０および９７０は、プログラムコードおよびデータを記憶するメモリ９３２および９７２に関連付けできる。プロセッサ９３０および９７０はまた、それぞれアップリンクおよびダウンリンクに関する周波数推定およびインパルス応答推定を導き出すために計算を実行することも可能である。
【００８１】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００８２】
実施形態は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパッシングおよび／または受信することによって、別のコードセグメントまたはハードウェア回路に結合できる。情報、引数、パラメータ、データなどは、メモリ共有、メッセージパッシング、トークンパッシング、ネットワーク送信などを含む適切な手段を使用してパッシング、転送、または送信することができる。
【００８３】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行できる。メモリユニットは、プロセッサの内部またはプロセッサの外部に実装でき、その場合、当技術分野で知られているように様々な手段を介してプロセッサに通信可能に結合できる。
【００８４】
図１０を参照すると、ブランチ上で電力を分散させるために信号をＩブランチおよびＱブランチ上で送信し、それによってＩ／Ｑインバランスを減少させるシステム１０００が示されている。たとえば、システム１０００は、少なくとも部分的に基地局、モバイルデバイスなどの中に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、送信すべきデータに少なくとも部分的に基づいて信号を生成するための電気構成要素１００４を含むことができる。たとえば、ウォルシュコードなど、良好な相関特性をもつコードまたは行列を使用してデータを変調することによって信号を生成することができる。別の例では、上記で説明したように、繰返し送信技術を使用して、ある信号をＩブランチ上で送信し、続いて１つの信号をＱブランチ上で送信することができる。さらに、論理グルーピング１００２は、通信チャネルのＩブランチおよびＱブランチ上で信号を分散させるための電気構成要素１００６を備えることができる。この点について、説明したように、Ｉ／Ｑインバランスを緩和するために、ＩブランチとＱブランチの両方上で電力を用いて信号をバランスまたは分散させることができる。一例では、データを変調するために与えられるコードまたは行列は、説明したように、この挙動を可能にするために実数モディファイアおよび複素モディファイアを備えることができる。
【００８５】
さらに、論理グルーピング１００２は、Ｉブランチ上で送信するための信号に複素スクランブリングコードを適用し、それによりＱブランチ上で送信するための異種信号を生じさせるための電気構成要素１００８を含むことができる。したがって、たとえば、スクランブリングコードは、追加または代替として、ＩブランチおよびＱブランチ上で送信される信号を生成するために利用できる。さらに、論理グルーピング１００２はまた、通信チャネルのＩブランチおよびＱブランチの信号を送信するための電気構成要素１０１０を備えることができる。説明したように、信号、およびしたがって信号電力は両方のブランチ上で送信されるので、Ｉ／Ｑインバランスを緩和することができる。さらに、システム１０００は、電気構成要素１００４、１００６、１００８、および１０１０に関連付けられた機能を実行するための命令を保持するメモリ１０１２を含むことができる。メモリ１０１２の外部にあるものとして図示されているが、１つまたは複数の電気構成要素１００４、１００６、１００８、および１０１０はメモリ１０１２の内部に存在することができることを理解されたい。
【００８６】
図１１を参照すると、通信チャネルのＩブランチおよびＱブランチ上で送信された信号を受信するシステム１１００が示されている。システム１１００は、たとえば、基地局、モバイルデバイスなどの中に常駐することができる。図示のように、システム１１００はプロセッサ、ソフトウェア、またはそれらの組合せ（たとえば、ファームウェア）によって実装される機能を表すことができる機能ブロックを含む。システム１１００は、信号によって送信されたデータを決定するために信号を受信し、解釈する電気構成要素の論理グルーピング１１０２を含む。論理グルーピング１１０２は、ＩブランチおよびＱブランチ上で通信チャネルに関係する多重化信号を受信するための電気構成要素１１０４を含むことができる。多重化信号は、送信／受信される様々なワイヤレスデバイスへの／からの信号を備えることができ、したがって、多重化信号を受信して直交通信を可能にすることができる。さらに、論理グルーピング１１０２は、ＩブランチおよびＱブランチの多重化信号を多重分離して、ブランチ上で送信される複数のデバイス信号を生成するための電気構成要素１１０６を含むことができる。たとえば、所与のデバイスの信号がＩ部分とＱ部分の両方を有するように、デバイス信号はＩブランチとＱブランチとの間で分割できる。この点について、論理グルーピング１１０２はまた、少なくとも、Ｉブランチから１つのデバイス信号を復調し、Ｑブランチから１つのデバイス信号を復調して、デバイスによって送信されたデータを受信するための電気構成要素１１０８を含むことができる。このようにして信号を送信することができるので、所与のデバイスの信号電力がＩブランチおよびＱブランチ上に分散されるようにＩ／Ｑインバランスを緩和することができる。
【００８７】
さらに、論理グルーピング１１０２は、複素スクランブリングコードを使用して、Ｉブランチ上で送信された少なくとも１つのデバイス信号と、Ｑブランチ上で送信された少なくとも１つのデバイス信号とを逆スクランブルするための電気構成要素１１１０を含むことができる。受信信号がスクランブルされている場合、本明細書で説明したように、信号を多重分離する前にこの電気構成要素１１１０を利用することができる。したがって、ＩブランチおよびＱブランチ上で信号を分散させるためにスクランブリングコードが利用された場合、電気構成要素１１１０は、そのコードを反転させて逆多重化用のデバイス信号を生成することができる。また、論理グルーピング１１０２は、データの一部分を通信チャネルのＩブランチ上で送信し、残りの部分をＱブランチ上で送信することに関するチャネル構成情報を少なくとも１つのワイヤレスデバイスに提供するための電気構成要素１１１２を含むことができる。ワイヤレスデバイスは、上記のように、ワイヤレスネットワーク上で信号を送信する際にこの構成情報を利用することができる。さらに、システム１１００は、電気構成要素１１０４、１１０６、１１０８、１１１０、および１１１２に関連付けられた機能を実行するための命令を保持するメモリ１１１４を含むことができる。メモリ１１１４の外部にあるものとして図示されているが、電気構成要素１１０４、１１０６、１１０８、１１１０、および１１１２はメモリ１１１４の内部に存在することができることを理解されたい。
【００８８】
上記で説明したことは１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、説明した態様および／または実施形態の要素は単数で説明または特許請求されることがあるが、単数の限定が明示的に指定されない限り、複数が企図される。さらに、任意の態様および／または実施形態のすべてまたは一部は、他の方法で記載されない限り任意の他の態様および／または実施形態のすべてまたは一部と共に使用できる。
【００８９】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートもしくはトランジスタ論理、個別ハードウェア構成要素、あるいは本明細書で説明した機能を実行するために設計されたそれらの任意の組合せを用いて実施または実行できる。汎用プロセッサはマイクロプロセッサであってよいが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。さらに、少なくとも１つのプロセッサは、上述のステップおよび／または動作の１つまたは複数を実行するように動作可能な１つまたは複数のモジュールを備えることができる。
【００９０】
さらに、本明細書で開示された態様に関して説明した方法またはアルゴリズムのステップおよび／または動作は、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体の中に常駐できる。例示的な記憶媒体は、プロセッサが記憶媒体から情報を読み取り、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末内に常駐することができる。代替として、プロセッサおよび記憶媒体は、ユーザ端末内に個別構成要素として常駐することもできる。さらに、いくつかの態様では、方法またはアルゴリズムのステップおよび／または動作は、コンピュータプログラム製品に組み込むことができる機械可読媒体および／またはコンピュータ可読媒体上のコードおよび／または命令の１つまたは任意の組合せ、あるいはそのセットとして常駐することができる。
【００９１】
１つまたは複数の態様では、説明する機能は、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【図１】
2011514737.tif 000016
【図２】
2011514737.tif 000017
【図３】
2011514737.tif 000018
【図４】
2011514737.tif 000019
【図５】
2011514737.tif 000020
【図６】
2011514737.tif 000021
【図７】
2011514737.tif 000022
【図８】
2011514737.tif 000023
【図９】
2011514737.tif 000024
【図１０】
2011514737.tif 000025
【図１１】
2011514737.tif 000026
【国際調査報告】
2011514737.tif 000027
2011514737.tif 000028